(57)【要約】【課題】確実に、古い機種の設定情報を新しい機種に設定させる事のできる設定情報複製システム、設定情報複製方法、及び設定情報複製プログラムを提供する。【解決手段】設定の複製元となる第１携帯端末に対して、設定情報を表示画面上に表示させる様に指示する制御部と、前記第１携帯端末で表示された設定情報を撮像して画像データを生成する画像取得部と、を具備し、前記制御部は、前記画像取得部によって生成された画像データを画像処理し、前記第１携帯端末の設定情報を識別し、識別した設定情報に基いて、設定の複製先となる第２携帯端末に設定を登録する様に指示する。【選択図】図１
2008236151.tif 000002
【特許請求の範囲】
【請求項１】
設定の複製元となる第１携帯端末に対して、設定情報を表示画面上に表示させる旨を示す第１制御信号を送信する制御部と、
前記第１携帯端末で表示された設定情報を撮像し、画像データを生成する画像取得部と、
を具備し、
前記制御部は、
前記画像取得部によって生成された画像データを画像処理し、前記第１携帯端末の設定情報を識別し、
識別した設定情報に基いて、設定の複製先となる第２携帯端末に設定を登録させる旨を示す第２制御信号を生成し、前記第２携帯端末に送信する
設定情報複製システム。
【請求項２】
請求項１に記載された設定情報複製システムであって、
更に、
予め、携帯端末の機種毎に、設定項目と設定内容候補とを示すメニュー構成を記憶した記憶部、
を具備し、
前記制御部は、
前記第１携帯端末の機種データを取得し、
前記画像データを画像処理するに際し、前記記憶部を参照して、前記第１携帯端末の機種に対応するメニュー構成を取得し、
前記画像データと取得した前記メニュー構成とを比較する事で、前記第１携帯端末の設定情報を識別する
設定情報複製システム。
【請求項３】
請求項１に記載された設定情報複製システムであって、
更に、
予め、携帯端末の機種毎に、設定項目と設定内容候補とを示すメニュー構成を記憶した記憶部、
を具備し、
前記制御部は、更に、
前記第２携帯端末の機種データを取得し、
前記第２制御信号を生成するに際し、前記記憶部を参照して前記第２携帯端末のメニュー構成を取得し、
前記画像データから識別した前記第１携帯端末の設定情報を、前記第２携帯端末のメニュー構成に対応するように変換し、
前記第２携帯端末の設定内容が、変換した設定情報に対応した設定となるように前記第２制御信号を生成し、前記第２携帯端末に送信する
設定情報複製システム。
【請求項４】
請求項１乃至３のいずれかに記載された設定情報複製システムであって、
前記画像取得部は、前記第２携帯端末に内蔵されている
設定情報複製システム。
【請求項５】
請求項１乃至３のいずれかに記載された設定情報複製システムであって、
更に、
無線通信インターフェース、を具備し、
前記制御部は、無線通信インターフェースを介して、前記第１携帯端末及び前記第２携帯端末に対して制御信号を送信する
設定情報複製システム。
【請求項６】
請求項５に記載された設定情報複製システムであって、
前記無線通信インターフェースは、Ｂｌｕｅｔｏｏｔｈ（登録商標）である
設定情報複製システム。
【請求項７】
請求項１乃至６のいずれかに記載された設定情報複製システムであって、
更に、
過去に識別した設定情報の、設定内容と識別頻度との対応関係を示す頻度データを記録する頻度データ記憶部、
を具備し、
前記制御部は、前記頻度データ記憶部に格納されたデータ内容を表示画面上に表示する
設定情報複製システム。
【請求項８】
設定の複製元となる第１携帯端末に対して、設定情報を表示画面上に表示させる旨を示す第１制御信号を送信する表示指示ステップと、
前記第１携帯端末で表示された設定情報を撮像して画像データを生成する画像取得ステップと、
前記画像取得ステップで生成した画像データを画像処理し、前記第１携帯端末の設定情報を識別する設定識別ステップと、
識別した設定情報に基いて、設定の複製先となる第２携帯端末に設定を登録させる旨を示す第２制御信号を送信する設定登録指示ステップと、
を具備する
設定情報複製方法。
【請求項９】
請求項８に記載された設定情報複製システムであって、
更に、
予め、携帯端末の機種毎に、設定項目と設定内容候補とを示すメニュー構成を準備しておくステップと、
第１携帯端末の機種データを取得するステップと、
を具備し、
前記設定識別ステップは、前記記憶部を参照して前記第１携帯端末の機種に対応するメニュー構成を取得するステップと、前記画像データと取得した前記メニュー構成とを比較する事で、前記第１携帯端末の設定情報を識別するステップと、を有する
設定情報複製方法。
【請求項１０】
請求項８に記載された設定情報複製方法であって、
更に、
予め、携帯端末の機種毎に、設定項目と設定内容候補とを示すメニュー構成を準備しておくステップと、
前記第２携帯端末の機種データを取得するステップと、
設定登録指示ステップは、
前記第２携帯端末の機種に対応するメニュー構成を取得するステップと、
前記画像データから識別した前記第１携帯端末の設定情報を、前記第２携帯端末のメニュー構成に対応するように変換するステップと、
変換した設定情報に基いて前記第２制御信号を生成し、前記第２携帯端末に送信するステップと、を有する
設定情報複製方法。
【請求項１１】
請求項８乃至１０のいずれかに記載された設定情報複製方法であって、
前記表示指示ステップ及び前記設定登録ステップにおいて、無線通信インターフェースを介して、前記第１携帯端末及び前記第２携帯端末に対して制御信号を送信する
設定情報複製方法。
【請求項１２】
請求項１１に記載された設定情報複製方法であって、
前記無線通信インターフェースは、Ｂｌｕｅｔｏｏｔｈ（登録商標）である
設定情報複製方法。
【請求項１３】
請求項８乃至１２のいずれかに記載された設定情報複製方法であって、
更に、
過去に識別した設定情報の、設定内容と識別回数との対応関係を示す頻度データを準備しておくステップと、
前記頻度データのデータ内容を表示画面上に表示するステップと、
を具備する
設定情報複製方法。
【請求項１４】
請求項８乃至１３のいずれかに記載された設定情報複製方法をコンピュータに実行させるための設定情報複製プログラム。
【発明の詳細な説明】
【技術分野】
【０００１】
本発明は、携帯端末間で設定情報を複製するための設定情報複製システム、設定情報複製方法、及び設定情報複製プログラムに関する。
【背景技術】
【０００２】
携帯電話などの携帯端末においては、それまで使用していた機種から新しい機種に変更することがある。機種変更にあたり、利用者自身が携帯端末を操作して、新しい機種の設定（文字の大きさ、など）を設定し直すのは、面倒である。
【０００３】
携帯端末間の設定を自動的に複製できる様にした技術として、特許文献１、２が挙げられる。特許文献１には、赤外線インターフェースを用いて設定情報を交換する事が記載されている。一方、特許文献２には、古い機種の設定情報を示すメールをサーバに送信し、新しい機種がサーバからメールを受信することで、設定を複製するようにした技術が開示されている。これらの技術では、設定に関する情報が、赤外線インターフェースやメールなどの通信手段を介して送受信される。但し、赤外線インターフェースやメール機能による通信は、必ずしも全ての携帯電話で実現することができるものではない。また、設定の内容によっては、このようなインターフェースでは通信できない場合もあり、設定情報の複製ができない事があった。従って、確実に、古い機種の設定情報を新しい機種に設定させる事のできる技術が望まれる。
【０００４】
ところで、携帯電話などの携帯端末は、撮像機能や、表示画面を備えていることがある。この表示画面を利用した技術として、表示画面上に表示される内容を撮影して解析することが知られている。例えば、特許文献３には、携帯端末のカメラにより撮影された画像から、周辺機器を携帯端末に接続するための通信パラメータを抽出し、その通信パラメータを携帯端末のインターフェースに設定することで、周辺機器を簡単に携帯端末に接続することができる様にした技術を開示している。また、特許文献４には、取扱説明書などに記載されたバーコードを撮像し、携帯電話器の各種設定を行う事が記載されている。また、携帯端末の表示画面に表示される内容を利用した技術として、例えば特許文献５には、実機テスト時における表示データの管理機能を高めることを目的とした技術が記載されている。しかしながら、これらの技術は、古い機種から新しい機種へ設定を複製するための技術ではない。
【０００５】
【特許文献１】特開２００２−２３８０７６号  公報
【特許文献２】特開２００２−２４４９８６号  公報
【特許文献３】特開２００４−８６４９２号  公報
【特許文献４】特開２００３−２８９３５０号  公報
【特許文献５】特開２００５−１６７５９５号  公報
【発明の開示】
【発明が解決しようとする課題】
【０００６】
本発明の目的は、確実に古い機種の設定情報を新しい機種に設定させる事のできる設定情報複製システム、設定情報複製方法、及び設定情報複製プログラムを提供することにある。
【課題を解決するための手段】
【０００７】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【０００８】
本発明の設定情報複製システムは、設定の複製元となる第１携帯端末（２）に対して、設定情報を表示画面（２１）上に表示させる旨を示す第１制御信号を送信する制御部（１２）と、第１携帯端末（２）で表示された設定情報を撮像して画像データを生成する画像取得部（４２）と、を具備する。制御部（１２）は、画像取得部（４２）によって生成された画像データを画像処理し、第１携帯端末（２）の設定情報を識別し、識別した設定情報に基いて、設定の複製先となる第２携帯端末（３）に設定を登録する旨を示す第２制御信号を生成し、第２携帯端末（３）に送信する。
【０００９】
この発明に依れば、画像処理部（４２）が第１携帯端末（２）の設定情報を撮像し、制御部（１２）が画像処理することで、第１携帯端末（２）の設定情報を識別する。ここで、表示画面は略全ての携帯端末に対して備えつけられているので、制御部（１２）は、メールや赤外線インターフェースなどを有さない携帯端末からも、自動的に設定の情報を取得でき、第２携帯端末（３）にその設定を登録させる事ができる。
【００１０】
上記の設定情報複製システムは、更に、予め、携帯端末の機種毎に、設定項目と設定内容候補とを示すメニュー構成を記憶した記憶部（１１）、を具備する事が好ましい。ここで、制御部（１２）は、更に、第１携帯端末（２）の機種データを取得する。また、画像データを画像処理するに際し、記憶部（１１）を参照して、第１携帯端末（２）の機種に対応するメニュー構成を取得する。画像データと取得したそのメニュー構成とを比較する事で、第１携帯端末（２）の設定情報を識別する。
【００１１】
また、制御部（１１）は、更に、第２携帯端末（３）の機種データを取得し、第２携帯端末（３）に設定を登録させる際に、記憶部（１１）を参照して第２携帯端末（３）のメニュー構成を取得し、画像データから識別した第１携帯端末（２）の設定情報を、第２携帯端末（３）のメニュー構成に対応するように変換し、変換した設定情報に基いて第２制御信号を生成し、第２携帯端末（３）に送信することが好ましい。
【００１２】
上記の設定情報複製システムにおいて、画像取得部（４２）は、第２携帯端末（３）に内蔵されていてもいい。
【００１３】
上記の設定情報複製システムは、更に、無線通信インターフェース（１３）、を具備する事が好ましい。ここで、制御部（１２）は、無線通信インターフェース（１３）を介して、第１携帯端末（２）及び第２携帯端末（３）に対して指示を行う。また、その無線通信インターフェース（１３）は、Ｂｌｕｅｔｏｏｔｈ（登録商標）であることがより好ましい。
【００１４】
上記の設定情報複製システムは、更に、過去に第１携帯端末（２）に設定されていた設定内容の頻度を表す頻度データを格納する頻度データ記憶部（１４）、を具備し、制御部（１２）は、識別した第１携帯端末（２）の設定情報に基いて、頻度データを更新し、頻度データ記憶部（１４）に格納されたデータ内容を表示画面（１５）上に表示することが好ましい。
【００１５】
本発明の設定情報複製方法は、設定の複製元となる第１携帯端末（２）に対して、設定情報を表示画面（２１）上に表示させる旨を示す第１制御信号を送信する表示指示ステップ（ステップＳ２）と、第１携帯端末（２）で表示された設定情報を撮像して画像データを生成する画像取得ステップ（ステップＳ５）と、画像取得ステップ（Ｓ５）で生成した画像データを画像処理し、第１携帯端末（２）の設定情報を識別する設定識別ステップ（ステップＳ１、８）と、識別した設定情報に基いて第２制御信号を生成し、設定の複製先となる第２携帯端末（３）に送信する設定登録指示ステップ（ステップＳ９、１０）と、を具備する。
【００１６】
この設定情報複製方法は、更に、予め、携帯端末の機種毎に、設定項目と設定内容候補とを示すメニュー構成を準備しておくステップと、第１携帯端末の機種データを取得するステップと、を具備する事が好ましい。また、この時、設定識別ステップ（ステップＳ８）は、メニュー構成を参照して第１携帯端末（２）の機種に対応するメニュー構成を取得するステップ（ステップＳ１）と、画像データと取得したメニュー構成とを比較する事で、第１携帯端末（２）の設定情報を識別するステップ（ステップＳ８）と、を有することが好ましい。
【００１７】
また、この設定情報複製方法は、更に、予め、携帯端末の機種毎に、設定項目と設定内容候補とを示すメニュー構成を準備しておいた場合、第２携帯端末（３）の機種データを取得するステップと、を具備することが好ましい。この時、設定登録指示ステップ（ステップＳ９、１０）は、第２携帯端末（３）の機種に対応するメニュー構成を取得するステップ（ステップＳ９）と、画像データから識別した第１携帯端末（２）の設定情報を、第２携帯端末（３）のメニュー構成に対応するように変換するステップと、変換した設定情報に基いて第２制御信号を生成し、第２携帯端末（３）に送信するステップ（ステップＳ１０）と、を有することが好ましい。
【００１８】
上記の設定情報複製方法は、表示指示ステップ（Ｓ２）及び設定登録ステップ（Ｓ１０）において、無線通信インターフェース（１３）を介して、第１携帯端末（２）及び第２携帯端末（３）に対して指示することが好ましい。ここで、その無線通信インターフェース（１３）は、Ｂｌｕｅｔｏｏｔｈ（登録商標）であることがより好ましい。
【００１９】
上記の設定情報複製方法は、更に、識別した第１携帯端末（２）の設定情報に基いて、過去に識別した第１携帯端末（２）の設定情報をカウントアップして頻度データを生成するステップと、頻度データの内容を表示画面（１５）上に表示させる頻度データ表示ステップと、を具備することが好ましい。
【００２０】
本発明の設定情報複製プログラムは、上記の設定情報複製方法をコンピュータに実行させるためのプログラムである。
【発明の効果】
【００２１】
本発明に依れば、確実に、自動的に、古い機種の設定情報を新しい機種に設定させる事のできる設定情報複製システム、設定情報複製方法、及び設定情報複製プログラムが提供される。
【発明を実施するための最良の形態】
【００２２】
（第１の実施形態）
図面を参照しつつ、本発明の第１の実施形態について説明する。図１は、本実施形態に係る設定情報複製システムの構成を概略的に示すブロック図である。この設定情報複製システムは、ホストコンピュータ１と、カメラ４とを備えている。この設定情報複製システムは、複製元の携帯電話２（第１携帯端末）の設定を、複製先の携帯電話３（第２の携帯端末）に設定させるためのものである。
【００２３】
ホストコンピュータ１は、記憶部１１と、制御部１２と、入出力インターフェース１３とを備えている。
【００２４】
制御部１２は、ＲＯＭ（Ｒｅａｄ  ｏｎｌｙ  ｍｅｍｏｌｙ）、ＲＡＭ、及びＣＰＵなどから構成される。ＲＯＭには、設定情報複製プログラムが格納されており、ＣＰＵによって設定情報複製プログラムが実行される事で、設定情報の複製に係る動作が実現される。
【００２５】
記憶部１１には、メニュー構成が予め格納されている。図２は、メニュー構成を示す概念図である。この図に示されるように、メニュー構成は、携帯端末の機種（Ａ、Ｂ・・・）毎に、設定の項目（文字サイズ、音量、など）と、設定内容の候補（大〜小、５〜１など）とを対応付けて示した情報である。尚、設定項目は、例えば文字サイズなどいった第１の項目の中に、文字入力、メール、ブラウザなどの第２の項目が設定された階層化構造となっていてもよい。この記憶部１１は、ハードディスクなどに例示される記憶装置により構成することができる。記憶部１１は、制御部１１とバスなどを介してアクセス可能に接続されている。
【００２６】
入出力インターフェース１３は、携帯電話２、３及びカメラ４と情報の送受信を行うためのものである。入出力インターフェース１３は、例えばＢｌｕｅｔｏｏｔｈ（登録商標）のインターフェースであり、携帯電話２、３に対して、キー操作を代替するキー操作情報を送信することができる様に構成されている。このようにキー操作情報を送信することのできるインターフェースを備えるようにすれば、ホストコンピュータ１側からの指示によって携帯電話２、３を動作させる事ができるので、携帯電話２、３側に設定情報複製に関する新たなプログラムなどを組み入れる必要は無い。
【００２７】
カメラ４は、被撮像データを撮像して画像データ化する画像取得部４２と、その画像データをホストコンピュータ１に送信するための入出力インターフェース４１とを備えている。
【００２８】
設定情報の複製元である携帯電話２は、表示画面２１と、入出力インターフェース２２と、制御部２３と、記憶部２４とを備えているものとする。制御部２３は、ＣＰＵ、ＲＯＭ、ＲＡＭなどで構成され、ＲＯＭに格納されたプログラムによって携帯電話２の全体の動作が制御される。入出力インターフェース２２は、ホストコンピュータ１などの外部機器と情報の送受信を行うためのものであり、本実施形態ではＨＩＤプロファイルのＢｌｕｅｔｏｏｔｈ（登録商標）のインターフェースであるものとする。記憶部２４は、設定情報などを格納しておくものであり、例えばハードディスクなどにより構成される。尚、設定情報は、主にユーザによって設定された情報であり、設定項目とその内容との対応関係を表す情報である。表示画面２１は、利用者に対し、携帯電話２側から各種情報を伝達するための情報を表示するためのものである。
【００２９】
設定情報の複製先である携帯電話３も、携帯電話２と同様に、表示画面３１、入出力インターフェース３２、制御部３３、および記憶部３４を備えているものとする。
【００３０】
続いて、上述のような構成を有する設定情報複製システムの動作方法について説明する。図３は、設定情報複製システムの動作方法を示すフローチャートである。
【００３１】
ステップＳ１；メニュー構成の取得
まず、制御部１２は、携帯電話２の機種を示す機種データを取得する。機種データの取得は、ユーザが携帯電話２の機種をキーボードなどの入力装置（図示せず）を介して入力することで行われてもよいし、携帯電話２から入出力インターフェース１３を介して機種データを示す信号を送信させる事で行われてもよい。機種データを取得した制御部１２は、記憶部１１にアクセスして、携帯電話２の機種に対応するメニュー構成（設定項目、及び設定内容候補）をデータとして取得する。
【００３２】
ステップＳ２；表示指示
続いて、制御部１２は、記憶部１１より取得したメニュー構成に基いて、携帯電話２に設定情報（設定項目及び設定内容）を表示させるようなキー操作情報を含む制御信号（第１制御信号）を生成し、入出力インターフェース１３を介して携帯電話２に送信する。
【００３３】
ステップＳ３；設定情報の取得
携帯電話２側では、制御部２３が、入出力インターフェース２２を介して、ホストコンピュータ１側から送信されてきた制御信号を受け取る。制御部２３は、制御信号を受け取ると、記憶部２４にアクセスして、携帯電話２の設定情報を取得する。
【００３４】
ステップＳ４；表示
さらに、制御部２３は、取得した携帯電話２の設定情報を、例えば図４に示されるように、表示画面２１上に表示する。
【００３５】
ステップＳ５〜７；画像取得
続いて、ホストコンピュータ１は、カメラ４の画像取得部４１によって表示画面２１上に表示された設定情報を撮像し（ステップＳ５）、画像データ化する（ステップＳ６）。画像取得部４２によって生成された画像データは、入出力インターフェース４を介してホストコンピュータ１に送信される（ステップＳ７）。
【００３６】
ステップＳ８；設定情報の識別
制御部１２は、取得した画像データを解析して、画像から文字データを生成する。これにより、携帯電話２に設定されていた設定情報を識別する。この際に、制御部１２は、ステップＳ１で取得した携帯電話２のメニュー構成を参照する事で、画像データの示す文字を類推しながら解析を行う。この様に、予め携帯電話２の設定項目と内容の候補（メニュー構成）とを取得しておく事で、画像データ中に示される文字の配列などを絞り込んで解析する事ができ、識別の信頼性を向上させることができる。
【００３７】
ステップＳ９；メニュー構成の取得
次に、制御部１２は、記憶部１１にアクセスして、設定先の携帯電話３のメニュー構成（設定項目と内容候補）を取得する。具体的には、携帯電話３の機種データを取得し、携帯電話３の機種に対応するメニュー構成を取得する。携帯電話３の機種データは、携帯電話２の機種データを取得した時と同様、ユーザからの入力により取得してもよいし、入出力インターフェース１３、３２を介して携帯電話３から受信してもよい。
【００３８】
ステップＳ１０、１１；設定指示
次に、制御部１２は、取得した携帯電話３のメニュー構成に対応するように、Ｓ８で識別した携帯電話２の設定情報を変換する。例えば、携帯電話２の設定情報として、「文字サイズ」の項目が、「大、中、やや小、最小」のうちの「最小」であったとする。ここで、携帯電話３のメニュー構成も、携帯電話２と同じく、項目「文字サイズ」の内容候補が「大、中、やや小、最小」であれば、識別した携帯電話２の設定情報をそのまま使用する。一方、携帯電話３の内容候補が「４、３、２、１」であった場合には、「最小」を「１」に変換する。また、携帯電話３の内容候補が「４、３、２」であった場合には、最も近い値（例えば最も小さい「２」）を採用する。
【００３９】
ホストコンピュータ１は、携帯電話３の設定内容を上記で変換した設定情報にするためのキー操作情報を含む制御信号（第２制御信号）を生成し、入出力インターフェース１３を介して、携帯電話３に送信する（ステップＳ１０）。制御信号を受信した携帯電話３では、制御部３３が記憶部３４にアクセスして、各種設定を行う（ステップＳ１１）。このとき、制御部１２が予め携帯電話３のメニュー構成を取得しておき、識別した携帯電話２の設定情報を変換するので、携帯電話３の設定項目や内容候補が携帯電話２の設定情報に対応していなかったとしても、矛盾無く携帯電話３の設定を行うことができる。
【００４０】
以上の一連の処理（Ｓ１〜１１）によって、携帯電話２の設定情報が携帯電話３に複製される。尚、この一連の動作において、ステップＳ１〜８までの処理によって携帯電話２の設定情報ホストコンピュータ１が保持しておき、後日、ステップＳ９以降の動作が行われてもよい。
【００４１】
以上のステップＳ１〜１１までの処理により、携帯電話２の設定の内容が、携帯電話３に設定される。本実施形態によれば、画像取得部４２によって表示画面上に表示された携帯電話２の設定情報が取得されるので、携帯電話２が設定情報をインターフェースを介して外部に出力できない機種であったとしても、制御部１２が設定情報を取得する事ができる。
【００４２】
（第２の実施形態）
次に、本発明の第２の実施形態について説明する。図５は、本実施形態の設定情報複製システムの構成を示す概略ブロック図である。また、図６は、本実施形態の設定情報複製方法を示すフローチャートである。本実施形態では、第１の実施形態と比較して、カメラ４の画像取得部４１が、携帯電話２、３側に内蔵されている点で工夫されている。また、これに伴ない、カメラ４は省略されている。その他の点については、第１の実施形態と同様の構成、動作とする事ができるので、詳細な説明は省略する。
【００４３】
画像取得部４２は、携帯電話３の制御部３３と接続されている。
【００４４】
本実施形態では、ホストコンピュータ１からの制御信号に基いて、携帯電話２の表示画面に設定情報が表示されると（ステップＳ２４）、携帯電話３に備えられた画像取得部４２によって、表示された設定情報が撮像され（ステップＳ２５）、画像データ化される（ステップＳ２６）。画像データは、入出力インターフェースを介してホストコンピュータ１側へ送信される（ステップＳ２７）。尚、携帯電話３からホストコンピュータ１に対する画像データの送信は、例えば、ホストコンピュータ１から携帯電話３に対して画像データを送信する旨を示すキー操作情報を送信することで実行されればよい。
【００４５】
本実施形態に依れば、画像取得部４２が携帯電話３に内蔵されているので、外部カメラを必要とせずに、設定情報の複製を行う事ができる。
【００４６】
（第３の実施形態）
本発明の第３の実施形態について説明する。図７は、本実施形態の設定情報複製システムの構成を概略的に示すブロック図である。本実施形態では、ホストコンピュータ１に、表示画面１５と頻度データ記憶部１４とが追加されている。その他の点については、既述の実施形態と同様であるので、説明を省略する。
【００４７】
頻度データ記憶部１４は、図８に示されるように、設定項目（例示；文字サイズ、文字入力、メール）、設定内容（例示；普通、縮小、拡大）、及び設定内容の設定頻度（例示；５０％、２０％）とを対応付けた頻度データを格納している。ここで、設定頻度は、制御部１２が過去に識別した携帯電話２の設定情報に基いて算出されている。すなわち、図８に示される例の場合、文字入力の文字サイズは、普通の大きさに設定されていた割合が５０％であり、縮小表示に設定されていた割合が２０％であり、拡大表示に設定されていた割合が３０％である事を示している。
【００４８】
本実施形態における制御部１２は、画像データを解析して携帯電話２の設定情報を識別すると、頻度データ記憶部１４にアクセスして頻度データを更新する。また、制御部１２は、必要に応じて（例えばユーザから入力装置（図示せず）を介して頻度データを表示する旨の指示があった場合など）、頻度データ１４を表示画面１５上に表示する。
【００４９】
本実施形態の設定情報複製システムを、携帯電話の機種変更を行うヘルプデスクなどで用いれば、携帯電話の利用者が行っている設定内容のデータをヘルプデスク側で蓄積することができる。これにより、多くの利用者がどのような設定を行っているかを把握する事ができる。従って、ヘルプデスクのオペレータ側から、新たに機種変更を行う利用者に対して、どのような設定が好ましいかなどのアドバイスを行う事ができる。
【００５０】
以上、第１〜３の実施形態について説明したが、これらは矛盾の無い範囲内で組み合わせて用いることもできる。また、既述の実施形態では、設定情報の複製に係る動作は、ホストコンピュータ１によって実行される場合について説明したが、このホストコンピュータ１の機能を全て携帯電話側に実行させてもよい。例えば、第１の実施形態（図１）において、記憶部１１、制御部１２、及び画像取得部４２が、携帯電話３側に内蔵されていてもよい。この様に構成しても、既述の実施形態と同様の作用を奏することができる。
【図面の簡単な説明】
【００５１】
【図１】第１の実施形態の設定情報複製システムの構成を示す概略ブロック図である。
【図２】メニュー構成の内容を示す概念図である。
【図３】第１の実施形態の設定情報複製方法を示すフローチャートである。
【図４】携帯電話の表示画面に表示される設定情報を示す説明図である。
【図５】第２の実施形態の設定情報複製システムの構成を示す概略ブロック図である。
【図６】第２の実施形態の設定情報複製方法を示すフローチャートである。
【図７】第３の実施形態の設定情報複製システムの構成を示す概略ブロック図である。
【図８】頻度データの内容を表す概念図である。
【符号の説明】
【００５２】
１    ホストコンピュータ
２    携帯電話（複製元）
３    携帯電話（複製先）
４    カメラ
１１  記憶部
１２  制御部
１３  入出力インターフェース
１４  頻度データ記憶部
１５  表示画面
２１  表示画面
２２  入出力インターフェース
２３  制御部
２４  記憶部
３１  表示画面
３２  入出力インターフェース
３３  制御部
３４  記憶部
４１  入出力インターフェース
４２  画像取得部
【図１】
2008236151.tif 000003
【図２】
2008236151.tif 000004
【図３】
2008236151.tif 000005
【図４】
2008236151.tif 000006
【図５】
2008236151.tif 000007
【図６】
2008236151.tif 000008
【図７】
2008236151.tif 000009
【図８】
2008236151.tif 000010